(57)【要約】【課題】  本発明は、写真及び写真印刷装置に関し、例えば電子スチルカメラによる撮像結果の印刷に適用して、従来に比して焼増しに係る処理を簡略化することができるようにする。【解決手段】  本発明は、画像を印刷すると共に、この印刷用紙に形成された情報記録面によるデータ記録領域ＡＲにこの画像の画像データを記録する。【選択図】  図１
2005276371.tif 000002
【特許請求の範囲】
【請求項１】
印刷用紙に印刷により画像が印刷された写真において、
前記印刷用紙に設けられた情報記録面によるデータ記録領域に、前記画像の画像データが記録された
ことを特徴とする写真。
【請求項２】
前記画像の画像データと共に、前記画像に関連するデータが記録された
ことを特徴とする請求項１に記載の写真。
【請求項３】
印刷用紙に印刷により画像を印刷して写真を生成する写真印刷装置において、
前記画像の画像データを取得する画像データ取得手段と、
前記画像データにより前記印刷用紙に前記画像を印刷する印刷手段と、
前記印刷用紙に設けられた情報記録面によるデータ記録領域に、前記画像データを記録するデータ記録手段と
を備えることを特徴とする写真印刷装置。
【請求項４】
前記データ記録領域に記録された前記画像データを再生するデータ再生手段を有する
ことを特徴とする請求項３に記載の写真印刷装置。
【請求項５】
前記データ記録手段は、
前記画像データと共に、前記画像に関連するデータを記録する
ことを特徴とする請求項３に記載の写真印刷装置。
【発明の詳細な説明】
【技術分野】
【０００１】
本発明は、写真及び写真印刷装置に関し、例えば電子スチルカメラによる撮像結果の印刷に適用することができる。本発明は、画像を印刷すると共に、この印刷用紙に形成された情報記録面によるデータ記録領域にこの画像の画像データを記録することにより、従来に比して焼増しに係る処理を簡略化することができるようにする。
【背景技術】
【０００２】
従来、銀塩カメラ、電子スチルカメラ等の撮像装置においては、フィルム、メモリカード等の記録媒体に撮像結果を記録するようになされており、これらの記録媒体をラボに持参することにより、印刷物の形式で撮像結果を確認できるようになされている。またこのような撮像結果を改めて焼増しする場合にあっても、同様に、これらの記録媒体をラボに持参するようになされている。
【０００３】
具体的に図８に示すように、銀塩カメラによる撮像結果においては、撮影済のフィルム１の現像、印刷をラボに依頼することにより、ラボにおいて、このフィルム１を現像して写真３を印刷するようになされている。また電子スチルカメラによる撮像結果においては、撮像結果を記録したメモリカード２により印刷を依頼すると、ラボにおいて、このメモリカード２に記録された画像データにより写真４を印刷するようになされている。
【０００４】
このような印刷に関して、例えば特開２００１−３０１３７１号公報においては、印刷により、１枚の用紙に画像と、例えば撮影日時等のこの画像に関連する情報とを記録する方法が提案されるようになされている。
【０００５】
ところで写真にあっては、焼増ししたい場合がある。この場合、従来においては、現像済のフィルムより対応するコマを見つけ出し、このコマについてラボに焼増し印刷を依頼することになる。また電子スチルカメラによる撮像結果にあっては、メモリカード、光ディスク、ハードディスク装置等に記録した多量のファイルより、対応するファイルを見つけ出し、このファイルを記録媒体にコピーして焼増し印刷を依頼することになる。
【０００６】
また例えば写真を受け取った第３者が焼増しを希望する場合、このような現像済のフィルム、元のファイルが手元に無いことにより、フィルム、元のファイルを保管している撮影者等に、このような一連の作業を依頼することになる。
【０００７】
これらにより従来の写真においては、焼増しに係る処理が煩雑な問題があった。
【特許文献１】特開２００１−３０１３７１号公報
【発明の開示】
【発明が解決しようとする課題】
【０００８】
本発明は以上の点を考慮してなされたもので、従来に比して焼増しに係る処理を簡略化することができる写真及び写真印刷装置を提案しようとするものである。
【課題を解決するための手段】
【０００９】
かかる課題を解決するため請求項１の発明においては、印刷用紙に印刷により画像が印刷された写真に適用して、印刷用紙に設けられた情報記録面によるデータ記録領域に、画像の画像データが記録されてなるようにする。
【００１０】
また請求項３の発明においては、印刷用紙に印刷により画像を印刷して写真を生成する写真印刷装置に適用して、画像の画像データを取得する画像データ取得手段と、画像データにより印刷用紙に画像を印刷する印刷手段と、印刷用紙に設けられた情報記録面によるデータ記録領域に、画像データを記録するデータ記録手段とを備えるようにする。
【００１１】
請求項１の構成により、印刷用紙に印刷により画像が印刷された写真に適用して、印刷用紙に設けられた情報記録面によるデータ記録領域に、画像の画像データが記録されてなるようにすれば、各写真と対応する画像ファイルとを常に対応付けて管理することができ、これにより従来に比して焼増しに係る処理を簡略化することができる。
【００１２】
これにより請求項３の構成によれば、従来に比して焼増しに係る処理を簡略化することができる写真印刷装置を提供することができる。
【発明の効果】
【００１３】
本発明によれば、従来に比して焼増しに係る処理を簡略化することができる。
【発明を実施するための最良の形態】
【００１４】
以下、適宜図面を参照しながら本発明の実施例を詳述する。
【実施例１】
【００１５】
（１）実施例の構成
図２は、本発明に係るプリントシステムを示す斜視図である。このプリントシステム１１は、コンピュータ１３によりプリンタ１４の動作を制御することにより、メモリカード１２等の記録媒体により提供される撮像結果を写真１５に印刷し、またこのようにして印刷された写真１５を用いて焼増し印刷する。
【００１６】
このためプリンタ１４は、印刷用の用紙を保持する用紙トレイが設けられ、この用紙トレイに保持した印刷用紙により写真１５を印刷する。また同様に、焼増し印刷に供する写真１５をセットする写真トレイが設けられ、この写真トレイにセットされた写真１５から印刷に供する画像データを取得した後、この画像データにより用紙トレイの印刷用紙に焼増しの写真を印刷する。
【００１７】
ここでこの印刷用紙は、図１（Ａ）及び（Ｂ）に写真１５の状態により示すように、表面及び裏面がそれぞれ写真印刷面及びデータ記録面であるシート材であり、写真印刷面は、光沢等の写真の質感が印刷により現れるように、印刷可能に形成される。これに対してデータ記録面は、比較的大容量のデータを記録可能なデータ記録領域ＡＲが設けられ、これにより画像データを記録可能に形成される。この実施例において、このデータ記録領域ＡＲは、長手方向に帯状に延長するように、ほぼ中央の部分に形成され、この長手方向に延長するトラックがデータ記録領域ＡＲの幅方向に繰り返し形成されてＣＤ−Ｒ（Compact Disc Recordable ）と同様の情報記録面により形成される。これによりこのプリントシステム１１では、画像データに応じたレーザービームの照射により、順次、このデータ記録領域ＡＲにピット列を形成して、写真１５の裏面に画像データを記録することができるようになされている。
【００１８】
これにより図３に示すように、このプリントシステム１１において、プリンタ１４は、図示しないインターフェースを介して入力されるコンピュータ１３からのコマンドに応動してコントローラにより全体の動作を制御し、コンピュータ１３から出力される画像データによる印刷が指示されると、この画像データにより写真１５を印刷し、またこの写真１５の焼増しに使用する画像データをこの写真１５に記録する。これに対してコンピュータ１３から写真１５の焼増し印刷が指示されると、写真トレイに保持された写真１５より画像データを取得し、この画像データにより写真１５を印刷する。
【００１９】
このためプリンタ１４において、プリンタメモリ１６は、コントローラの制御により、コンピュータ１３から出力される画像データにより写真１５を印刷する場合には、コンピュータ１３から出力される画像データを取得して保持し、この画像データをプリント部１７、記録／再生部１８に出力する。また焼増し印刷する場合には、焼増しに供する写真１５の画像データを記録／再生部１８から取得して保持し、この保持した画像データをプリント部１７、記録／再生部１８に出力する。
【００２０】
この処理において、プリンタメモリ１６は、コンピュータ１３からいわゆるプリントデータの形式により画像データを取得する。ここでプリントデータは、コンピュータ１３に保持されたこのプリンタ１４用のプリンタドライバにより、このプリンタ１４に対応する階調等により出力される画像データである。これによりプリンタ１４においては、通常のコンピュータに接続して写真１５を印刷できるようになされている。
【００２１】
プリント部１７は、コントローラの制御によりプリンタメモリ１６から出力される画像データにより印刷用紙に写真を印刷する。記録／再生部１８は、コントローラの制御によりプリンタメモリ１６から出力される画像データを印刷用紙に記録し、またこれとは逆に、このようにして記録してなる画像データを写真１５から再生してプリンタメモリ１６に出力する。
【００２２】
すなわち図４に示すように、このプリンタ１３に係るプリント部１７、記録／再生部１８は、コントローラの制御により、用紙トレイから印刷用紙１９を取り出し、又は写真トレイから写真１５を取り出し、搬送機構により搬送して排出する。プリント部１７は、この搬送機構の一部を構成するローラー２０ａ、２０ｂ間の、印刷用紙１９を搬送する際の表面側に、プリンタヘッド２１が設けられ、プリントデータによるプリンタヘッド２１の駆動により、印刷用紙１９の表面に写真を印刷するようになされている。
【００２３】
これに対して裏面側には、光ピックアップ２２が設けられる。ここで光ピックアップ２２は、所定の可動機構により、用紙送り方向と直交する方向に順次位置を可変して、用紙送り方向に高速度で往復して移動するようになされ、これにより写真１５、印刷用紙１９を搬送しながら、写真１５、印刷用紙１９の裏面に形成されたデータ記録領域ＡＲの各トラックを順次走査するようになされている。
【００２４】
すなわち光ピックアップ２２は、このように可動して写真１５、印刷用紙１９にレーザービームを照射して戻り光を受光し、この戻り光の受光結果によりトラッキング制御、フォーカス制御するようになされ、また印刷用紙１９の搬送時においては、レーザービームの光量を間欠的に立ち上げてプリントデータを記録する。これに対して写真１５の搬送時においては、この戻り光の受光結果を処理することにより、データ記録領域ＡＲに記録されたデータを再生するようになされている。
【００２５】
これらの処理において、プリント部１７は、図５に示すように、コンピュータ１３から入力されるプリントデータに誤り訂正符号（ＥＣＣ：Error Correcting Code)を付加し、さらに画像に関連する情報、各画像の識別用のコードであるＩＤを付加してデータ記録領域ＡＲに画像データを記録する。なおここで画像に係る情報は、画像の属性を示す種々の情報であり、この実施例では、撮像装置の形式、撮影日時、撮影場所、撮影条件、撮影者名、写真のタイトル、コメント等が適用されるようになされ、さらには画像データによるサムネイル画像、音声データが適用されるようになされている。これらによりこの実施例においては、これら撮影日時等に関する情報を写真１５毎に写真１５と共に管理できるようになされている。
【００２６】
なおこれらの属性情報のうち、撮像装置の形式、撮影日時、音声データにあってはメモリカード１２に記録されたデータが適用されるのに対し、撮影場所、撮影条件、撮影者名、写真のタイトル、コメント、音声データ等にあっては必要に応じてユーザーにより入力されるようになされている。
【００２７】
コンピュータ１３は（図３）、リードオンリメモリ（ＲＯＭ）２９の記録に従ってランダムアクセスメモリ（ＲＡＭ）２７にワークエリアを確保して所定の処理プログラムを中央処理ユニット（ＣＰＵ）２４で実行することにより、液晶表示パネル等による表示部２６を介して各種のユーザーインターフェースを提供し、またマウス等による操作部２７の操作を受け付けて写真１５を印刷し、さらには焼増し印刷を実行する。すなわちコンピュータ１３において、中央処理ユニット２４は、ユーザーによりメモリカード１２に記録された画像ファイルの表示が指示されると、インターフェース（Ｉ／Ｆ）２３を介してメモリカード１２をアクセスし、メモリカード１２に記録された画像ファイルをロードして表示部２６に表示する。またこの表示部２６の表示に基づいてユーザーが各画像の補正を指示すると、この指示に応じてロードした画像ファイルに係る画像データを補正する。またこのようにしてユーザーがこの画像ファイルの印刷を指示すると、各画像ファイル毎に、図６に示す処理手順を実行することにより順次写真を印刷する。
【００２８】
すなわち中央処理ユニット２４は、この処理手順を開始すると、ステップＳＰ１からステップＳＰ２に移り、印刷に供する画像ファイルの画像データを、プリンタ１４のプリンタドライバによりプリントデータに変換する。なおこの実施例においては、ＪＰＥＧ（Joint Photographic Experts Group）のフォーマットによりメモリカード１２に画像データが記録されるようになされており、これによりこの実施例において、中央処理ユニット２４は、このＪＰＥＧフォーマットによる画像データをプリントデータに変換する。またこのときメモリカード１２の記録より、さらにはユーザーによる入力により、関連する情報（図５）を取得する。
【００２９】
続いて中央処理ユニット２４は、ステップＳＰ３に移り、インターフェース（Ｉ／Ｆ）２５を介してプリンタ１４に制御コマンドを出力して写真の印刷を指示した後、プリンタ１４からの応答により順次プリントデータを出力する。これにより中央処理ユニット２４は、このプリントデータによりプリント部１７を駆動して印刷用紙１９に写真を印刷する。またステップＳＰ４において、このように写真を印刷しながら、裏面のデータ記録領域ＡＲにプリントデータを記録し、ステップＳＰ５に移ってこの処理手順を終了する。このとき中央処理ユニット２４は、ステップＳＰ２で取得した関連する情報を併せて記録するように、プリンタ１４の動作を制御する。
【００３０】
これに対してユーザーが焼増しの処理を指示すると、中央処理ユニット２４は、図７の処理手順の実行により写真１５より焼増し印刷するように、プリンタ１４を制御する。すなわち中央処理ユニット２４は、この処理手順を開始すると、ステップＳＰ１１からステップＳＰ１２に移り、写真１５からのプリントデータ、関連する情報等の読み出しをプリンタ１４に指示する。これによりプリンタ１４において、写真トレイに保持された写真１５を用紙送り機構により搬送して、記録／再生部１８によりこの写真１５の裏面に設けられたデータ記録領域ＡＲからプリントデータ等を読み出し、この読み出したデータをプリンタメモリ１６に保持する。
【００３１】
中央処理ユニット２４は、プリンタ１４から処理の完了が通知されると、続いてステップＳＰ１３に移り、このプリンタメモリ１６に保持したプリントデータによる印刷をプリンタ１４に指示し、これにより続くステップＳＰ１３において、このプリントデータによりプリント部１７を駆動して印刷用紙１９に写真を印刷する。またステップＳＰ１４において、このように写真を印刷しながら、裏面のデータ記録領域ＡＲにプリンタメモリ１６に保持したデータを記録し、ステップＳＰ１５に移ってこの処理手順を終了する。
【００３２】
これに対してユーザーが写真１５の取り込みを指示した場合、中央処理ユニット２４は、焼増し印刷の場合と同様に、プリンタ１４に写真トレイに保持された写真１５からのプリントデータ、関連する情報等の読み出しをプリンタ１４に指示し、この指示により写真１５のデータ記録領域ＡＲから得られたプリントデータ等をインターフェース２５より取得し、これによりこのようにして得られるプリントデータによる画像データを、関連する情報と共に種々に利用できるようになされている。
【００３３】
（２）実施例の動作
以上の構成において、このプリントシステム１１において（図２及び図３）、電子スチルカメラ等で撮影した画像ファイルは、メモリカード１２によりコンピュータ１３に提供され、これによりコンピュータ１３に保持された各種画像ファイルに係るビューアーにより閲覧して種々の処理に供される。これによりこのような撮像結果においては、ユーザーによる印刷の指示により、プリンタ１４により印刷されて、写真の形式により保存され、さらには写真の形式により知人に配付される。またこのような撮像結果による画像ファイルは、メモリカード１２よりダウンロードされて、例えばこのコンピュータ１３のハードディスク装置に保存され、さらにはＣＤ、ＤＶＤ等の光ディスクに保存され、これらにより大容量の記録媒体にまとめて保存して、後日、必要に応じて再利用に供される。
【００３４】
しかしながらこのような撮像結果の画像ファイルによる保存にあって、例えば写真を焼増しする場合、保存された多数の画像ファイルをビューアーにより閲覧して、焼増しに供する画像ファイルを見つけ出し、さらにこの画像ファイルを印刷することになる。また例えばこのような写真によりクリスマスカード等を作成する場合も考えられ、このような場合にも、保存された多数の画像ファイルをビューアーにより閲覧して、対応する画像ファイルを見つけ出すことが必要になる。これらによりこのままでは、焼増しに係る処理はもとより、写真に係る各種の管理、処理が極めて煩雑になる。
【００３５】
このためこのプリントシステム１１では（図１）、写真を印刷する際に、印刷用紙の裏面に設けられたデータ記録領域ＡＲに、表面に印刷した写真に係る画像データが記録され、これにより各写真と対応する画像ファイルとを常に対応付けて管理することができ、従来に比して焼増しに係る処理はもとより、各種の写真に係る処理、管理を簡略化することができる。
【００３６】
すなわち例えば焼増しする場合にあっては、気に入った写真の裏面に記録された画像データにより改めて印刷用紙に印刷することにより、わざわざ多量の画像ファイルより焼増しに供する画像ファイルを発見する等の処理を省略することができ、これにより焼増しに係る処理を簡略化することができる。またクリスマスカードに利用する場合等にあっても、気に入った写真を選んで、単にこの写真に記録された画像データをコンピュータに取り込むだけで種々に利用することができ、これにより各種の写真に係る処理、管理を簡略化することができる。
【００３７】
すなわちこのプリントシステム１１では（図６）、コンピュータ１３により画像データがプリントデータに変換され、このプリントデータがプリンタ１４に出力されて印刷用紙１９の表面の印刷に供され、これにより写真１５が印刷される。この印刷の際に、プリントシステム１１では、印刷用紙１９を間に挟んでプリンタヘッド２１と対向するように設けられている光ピックアップ２２が、印刷用紙１９を横切る方向に順次段階的に移動して、用紙送り方向に繰り返し往復しながら、印刷用紙１９の裏面に形成されたデータ記録領域ＡＲにプリントデータを記録し、これにより写真１５に係る画像データが写真１５の裏面に記録される。
【００３８】
また焼増し印刷する場合、プリントシステム１１では、印刷済の写真１５が写真トレイに保持され、この写真１５が印刷時と同様に搬送され、この搬送過程で記録時と同様に移動を繰り返す光ピックアップ２２によりデータ記録領域ＡＲに記録された各種のデータが再生される。またこの再生したデータによるプリントデータにより、印刷用紙１９に写真が印刷され、この写真にも裏面に画像データが記録される。また例えばクリスマスカードに利用する場合等にあっては、光ピックアップ２２で再生されたデータがコンピュータ１３に読み込まれて処理される。
【００３９】
これらの処理において、このプリントシステム１１では、このように写真に記録する画像データがいわゆるプリントデータであることにより、この実施例のように、焼増し印刷する場合には、単にコンピュータ側で処理を指示するだけで、焼増しの印刷を実行し得、これによりコンピュータの負担を軽減することができる。
【００４０】
またこのようにして写真に記録するデータにあっては、撮影日時等の画像の属性を示すデータが画像に係る情報として併せて記録されることにより、この情報を利用して、例えば元の画像ファイルの検索等に利用し得、この場合には、コンピュータ１３側で写真から読み込んだ画像データを処理する場合、さらには元の画像ファイルを処理する場合等に利便を図ることができる。
【００４１】
またこのような情報としてユーザーによるコメント、さらには音声データを付加できるようになされ、これにより例えば種々のメッセージを相手に伝えることもでき、これらにより種々に使い勝手を向上することができる。
【００４２】
またこのような画像データの記録がピット列の形成により実行され、これにより例えば磁石により壁等に写真１５を貼り付けて保持する場合にあっても、画像データを確実に再生することができる。
【００４３】
（３）実施例の効果
以上の構成によれば、画像を印刷すると共に、この印刷用紙に形成された情報記録面によるデータ記録領域にこの画像の画像データを記録することにより、従来に比して焼増しに係る処理を簡略化することができる。
【００４４】
またこの画像データと共に、画像に関連するデータを記録することにより、この関連するデータを利用して使い勝手を向上することができる。
【００４５】
またこのようにして記録された画像データを再生することにより、この画像データにより改めて同一の写真を印刷することができる。
【実施例２】
【００４６】
なお上述の実施例においては、印刷用紙の裏面側に、画像データを記録する場合について述べたが、本発明はこれに限らず、印刷用紙の表面側に記録するようにしてもよい。
【００４７】
また上述の実施例においては、プリンタの駆動に係るプリントデータにより画像データを記録する場合について述べたが、本発明はこれに限らず、例えばＪＰＥＧフォーマットにより画像データを記録する場合等、種々のフォーマットによる画像データを記録することができる。なおこの場合に、ＪＰＥＧフォーマットのように、コンピュータ等の画像処理装置で汎用性の高いフォーマットにより画像データを記録すれば、種々の画像処理装置で写真より画像データを取得して処理することができる。
【００４８】
また上述の実施例においては、ＣＤ−Ｒと同様の情報記録面によるデータ記録領域に画像データを記録する場合について述べたが、本発明はこれに限らず、相変化型の情報記録面によりデータ記録領域を形成する場合等、種々の光記録に適用される情報記録面によりデータ記録領域を形成する場合、さらには磁気記録による情報記録面によりデータ記録領域を形成する場合、種々のデータ記録に係る情報記録面によりデータ記録領域を形成する場合に広く適用することができる。
【００４９】
また上述の実施例においては、電子スチルカメラによる撮像結果より写真を印刷する場合について述べたが、本発明はこれに限らず、携帯電話、ビデオカメラ等による撮像結果より写真を印刷する場合、さらには銀塩写真のフィルムによる撮像結果より写真を印刷する場合等に広く適用することができる。なお銀塩写真のフィルムによる撮像結果より写真を印刷する場合にあっては、現像したフィルムをスキャナによりスキャンして画像データを取得する処理が必要になる。
【００５０】
また上述の実施例においては、コンピュータの制御により写真を印刷する場合について述べたが、本発明はこれに限らず、直接、プリンタにメモリカード等による記録媒体を装着して印刷する場合等にも広く適用することができる。
【産業上の利用可能性】
【００５１】
本発明は、写真及び写真印刷装置に関し、例えば電子スチルカメラによる撮像結果の印刷に適用することができる。
【図面の簡単な説明】
【００５２】
【図１】本発明の実施例１に係るプリントシステムにおけるプリンタにより提供される写真を示す平面図である。
【図２】本発明の実施例１に係るプリントシステムを示す斜視図である。
【図３】図２のプリントシステムを示すブロック図である。
【図４】図３のプリンタの印刷に係る部分を示す略線図である。
【図５】データ記録の説明に供する図表である。
【図６】図３のコンピュータにおける中央処理ユニットの処理手順を示すフローチャートである。
【図７】写真による焼増しに係る処理手順を示すフローチャートである。
【図８】従来の写真の説明に供する略線図である。
【符号の説明】
【００５３】
１、２、１２……記録媒体、３、４、１５……写真、１１……プリントシステム、１３……コンピュータ、１４……プリンタ、１７……プリント部、１８……記録／再生部、２４……中央処理ユニット
【図１】
2005276371.tif 000003
【図２】
2005276371.tif 000004
【図３】
2005276371.tif 000005
【図４】
2005276371.tif 000006
【図５】
2005276371.tif 000007
【図６】
2005276371.tif 000008
【図７】
2005276371.tif 000009
【図８】
2005276371.tif 000010